(57)【要約】【課題】信号柱等の柱類基礎は、従来から柱類を建て込む筒体部と自立性を高めるため広範囲に土を把持するようコンクリートや多数の抵抗板部とで構成されていたが取扱いが容易ではない上、高いコストで製造しなければならなかった。【解決手段】柱類の基礎部分の外周には、等分割構成体が一体に係合されており、他の等分割構成体と係合することにより抵抗板部が放射状に拡開配置され、前記等分割構成体は腐食の発生しにくい材質の構成体であり、筒体内と柱類との隙間にアンカーゲルを注入することにより短時間で施工完了出来る。【選択図】      図１
2018076679.tif 000002
【特許請求の範囲】
【請求項１】
柱類の基礎部分の外周には、３個或いは４個の等分割構成体が一体に係合されており、等分割構成体は、その中央部が突出し、工具嵌込み溝が形成され、該工具嵌込み溝をはさんで、一方の側には、抵抗板部が、又他方の側には、中間部位が小さな角度で内方に折り曲げられた筒体部が形成されて、更に筒体部の側端は直角か、あるいはそれ以上の鋭角をもって外方に折り曲げられ係合縁が形成されており、工具嵌込み溝の背高部の頂上には上下方向に他の等分割構成体の係合縁を係合するための規制部材が、固着されており、該規制部材に他の等分割構成体の係合縁が係合することにより抵抗板部が柱類に対し放射状に拡開配置されるようにし たことを特徴とする柱類の基礎建設用具。
【請求項２】
前記等分割構成体は、亜鉛メッキ鋼板、又は、ガルバリューム鋼板等の被覆鋼板、又は、不錆鋼、ステンレス等の腐食の発生しにくい材質の構成体であることを特徴とする請求項1記載の柱類の基礎建設用具。
【請求項３】
筒体内と柱類との隙間にアンカーゲルを注入することにより短時間で施工完了出来ることを特徴とする請求項1、請求項２記載の柱類の基礎建設方法。
【発明の詳細な説明】
【技術分野】
【０００１】
本発明は、信号柱等の柱類の基礎建設用具及び基礎建設方法に関する。
【背景技術】
【０００２】
柱には、信号柱、標識柱、建築用支柱、電柱等があるが、これらを柱類と言う（以下柱類と記す）。柱類の基礎は、従来から柱類を建て込む筒体部と自立性を高めるため広範囲に土を把持するよう筒体部の外方に形成された複数の抵抗板部とで構成されていたが
、その多くは単体構造か、もしくは縦割に２分割された程度のものであつたため、打込み時に受ける 土の抵抗が大きく、作業条件は非常に劣悪であった。
又、それ以上の数に分割化された構造のものであつても、例えば筒体部と抵抗板部を別にした物のように同一構造の分割化でないため 取扱いが容易ではない上、高いコストで製造しなければならなかった。
それを解決する手段としては、先願例として同一出願人の特許第１６３３８９２号がある。
それに基づいて、更に現実に、飛躍的効果を発揮する構造を提案するものである。
【先行技術文献】
【特許文献】
【０００３】
【特許文献１】特許第１６３３８９２号公報
【発明の概要】
【発明が解決しようとする課題】
【０００４】
本発明は柱類用の基礎建設用具及び基礎建設方法に関し、簡単な施工方法でもって極めて短時間で、又低コストで課題を解決する手段を提供するものである。
【課題を解決するための手段】
【０００５】
柱類の基礎部分の外周には、３個或いは４個の等分割構成体が一体に係合されており、等分割構成体は、その中央部が突出し、工具嵌込み溝が形成され、該工具嵌込み溝をはさんで、一方の側には、抵抗板部が、又他方の側には、中間部位が小さな角度で内方に折り曲げられた筒体部が形成されて、更に筒体部の側端は直角か、あるいはそれ以上の鋭角をもって外方に折り曲げられ係合縁が形成されており、工具嵌込み溝の背高部の頂上には上下方向に他の等分割構成体の係合縁を係合するための規制部材が、固着されており、該規制部材に他の等分割構成体の係合縁が係合することにより抵抗板部が柱類に対し放射状に拡開配置されるようにし たことを特徴とする柱類の基礎建設方法、及び建設用具を提供する。
【０００６】
前記等分割構成体は、亜鉛メッキ鋼板、又は、ガルバリューム鋼板等の被覆鋼板、又は、不錆鋼、ステンレス等の腐食の発生しにくい材質の構成体であることを特徴とする請求項1記載の柱類の基礎建設方法、及び建設用具を提供する。
【０００７】
筒体内と柱類との隙間にアンカーゲルを注入することにより短時間で施工完了出来ることを特徴とする請求項1、請求項２記載の柱類の基礎建設方法、及び建設用具を提供する。
【発明の効果】
【０００８】
（１）短時間に設置でき、小型の形状で、目標以上の強度を得ることが出来る。
（２）本発明の等分割構成体は、亜鉛メッキ鋼板、ガルバリューム鋼板等の被覆鋼板、不錆鋼、ステンレス鋼とするため腐食が発生せず、再利用が可能となった。加えて、排出残土が少ないため環境上も良好な構成となっている。
【図面の簡単な説明】
【０００９】
【図１】等分割構成体１の平面図である。
【図２】等分割構成体１の側面図である。
【図３】等分割構成体１の組立時の斜視図である。
【図４】等分割構成体１、１ａの組立時の斜視図である。
【図５】等分割構成体１、１ａ、１ｂの組立時の斜視図である
【図６】組立後の基礎部の垂直断面図である。
【図７】柱類にかかる曲げモーメントと変位量を示す図である。
【図８】従来法と本発明法の特徴の比較図である。
【発明を実施するための形態】
【００１０】
なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例】
【００１１】
以下、本発明の実施例について、先願例の構造と対比して、本発明の構造例を説明する。
なお先願例と共通な部分の説明は、重複を避けて説明を省略する。
図１は、等分割構成体１の平面図である。
等分割構成体１は、その中央部が弧状断面に押し出されて工具嵌込み溝 2 が形成され該工具嵌込み溝 2をはさんで、一方の側には、抵抗板部３が、又他方の側には、中間部位が、小さな角度で内方に折り曲げられ筒体部４が形成されている。
【００１２】
更に筒体部４の側端は直角か、あるいはそれ以上の鋭角をもって外方に折り曲げられて係合縁５が、形成されており、又工具嵌込み溝２の背高部の頂上には上下方向に他の等分割構成体１ａ、又は１ｂの係合縁５を係合するための規制部材６が、固着されている。
この規制部材６は、細幅の部材の一側が折り曲げられて図1に示すコの字状断面の案内溝７が形成され、該案内溝７に挿通する他の等分割構成体１ａ、または１ｂの係合縁５が案内溝７の開口部８〜側方に抜き出しないよう構成され、他の一側は案内溝７側に直角かあるいはそれ以上の鋭角を以って折り曲げられ、その端部が案内溝７の開口部８より計画量突出するようにして押え縁が形成される。
【００１３】
図２は等分割構成体１の側面図である。
上部付近に設けられた孔２０は、吊り上げ用と引き抜き用に設けたものである。   
図３〜 図５は３ケの等分割構成体１の打ち込み状態を示す斜視図である。
【００１４】
組立て手順を説明すると、まず図３に示す如く等分割構成体１が所定の位置に設置される。
次に図４に示す如く等分割構成体１aの規制部材６に等分割構成体１の係合縁５が嵌め込まれ組立てられる。
次に図５に示す如く等分割構成体１bの規制部材６に等分割構成体１ａの係合縁５が嵌め込まれ、合せて等分割構成体１の規制部材６に等分割構成体１ｂの係合縁５が嵌め込まれて組立が極めて短時間に終了する。
図６は、組み立てられた基礎部の断面図である。
【００１５】
本発明の施工は、埋設物確認のために、試験堀のサイズは奥行・幅が約７００ｍｍ、深さが約６００ｍｍの大きさの試験堀を支柱建込み分の深さ行い、試験堀内部の土をスクリュー等の排土具を用いて取除き、柱類１８を建込む。
そのあと柱類１８を囲むように、等分割構成体１，１a、１b を 1 ケずつ別々に試験堀内に設置し組み立てるため、極めて短時間で設置が出来る。
例えば筒体部と抵抗板部を別にした物は、同一構造の分割化ではないため 取扱の手順が多く、組合せるとそれぞれの係合関係の維持が容易ではない上、高いコストで製造しなければならなかった。
【００１６】
本発明はこのような従来技術の欠陥に鑑みて提案されたもので、柱類８の建込み場所に３ケの等分割構成体1 、１ａ、１ｂ を組合わせて設置するため、極めて短期間に設置することができる。
また、そのためコスト は廉価で、しかも運搬、保管時には極めて小さなスペースに収納することができる。
更にそれぞれの等分割構成体１、 １ａ、１ｂについても係合関係はより好ましくなされるため、図５の組合せ状態を地中に構築させるのは容易であり、且つ確実である。
【００１７】
組立てた等分割構成体１、１a、１bの周囲を埋め戻し、転圧したあと建込んだ柱類１８と３ケの筒体部 ４で囲まれた隙間にアンカーゲル１９を挿入して間隙を固め、図６のように柱類１８の建て込みを完了する。
次に、先願例との対比について述べると、
先願例の等分割構成体は、通常の鋼板製であり、長期の埋設では、錆びや、腐食が発生していたため、柱類１８の撤去後の再利用は、ほとんど不可能であったのに対し本発明の等分割構成体は、亜鉛メッキ鋼板、ガルバリューム鋼板等の被覆鋼板、不錆鋼、ステンレス鋼とするため腐食が発生せず、再利用が可能となった。加えて、排出残土が少ないため環境上も良好な構成となっている。
【００１８】
又、先願例では、筒体部に、モルタルを注入していたが、本発明の方法では、特殊なアンカーゲルを開発し、使用されている。
このアンカーゲルは、ゲル体３kgに対し、水１．２Ｌを混合懸濁すると、５分程度で固化するもので、発明者の開発実験より提供されたものである。
このアンカーゲルは、流動性が良いので、筒体内と柱類１８との隙間に短時間に注入することが出来る。
【００１９】
次に図７に示す如く柱類１８へ掛ける曲げモーメントと変位量の関係について述べる。
実験は、柱類１９０．７ｍｍφに対し設計モーメント荷重を３２．４(ｋＮ・ｍ)と設定し試験を行った結果を示す。
この結果変位量(ｍｍ)に対する本発明の地際部に生じる柱類の曲げモーメント(ｋＮ・ｍ)は、頂点方向、平面方向ともに、十分な耐力が発揮されている。
これは、短時間に設置でき、小型の形状で目標以上の強度を得ることを示している。
【００２０】
しかも構成体の柱類撤去時の再利用、残土の減少、リサイクル性が高いなど環境面の改善が大幅に計れるのである。
寸法的にも、構造が小型でシンプルであり、先願例の構造から等分割構成体１のサイズ変更し、組合せたときの筒体部の直径を２３０ｍｍφとすることで、強度を確保しながら従来より大きな規格の柱類にも対応できる。
【産業上の利用可能性】
【００２１】
本発明の活用例としては、以上説明したように、極めて実用的な機能を有する構成を提供することにより利便性を大幅に高め、新商品による産業の発展に貢献できる新規かつ実用的な発明である。
【符号の説明】
【００２２】
1 、  １ａ、 １ｂ  等分割構成体
2                    工具嵌込み溝
3                 抵抗板部
4                  筒体部
5                  係合縁 
6                  規制部材
7                 案内溝
8                 開口部
１８                柱類
１９                アンカーゲル
２０                孔
【図１】
2018076679.tif 000003
【図２】
2018076679.tif 000004
【図３】
2018076679.tif 000005
【図４】
2018076679.tif 000006
【図５】
2018076679.tif 000007
【図６】
2018076679.tif 000008
【図７】
2018076679.tif 000009
【図８】
2018076679.tif 000010